(57)【要約】【課題】配管カバーを取り付け・取り外しを容易に行うことができ、配管の保守・点検作業を容易に行うことができる手洗い器を提供することを課題とする。【解決手段】壁２に取り付けられる手洗いボウル３と、該手洗いボウル３の下方の壁２に取り付けられるバックボード４と、前記バックボード４の前側に配設されてバックボード４との間に配管収納用空所２６を形成する配管カバー５を備える。配管カバー５は前面部２７と前面部２７の両側から後方に突出する側面部２８を備える。バックボード４の両側縁部に前方に開口して前記配管カバー５の両側面部２８の後縁部２９の夫々が嵌め込まれる凹溝部１６が形成される。手洗いボウル３に下方に開口して前記配管カバー５の上端部を嵌め込むための嵌込凹所１２が形成される。配管カバー５にバックボード４の前面と着脱自在に接合する接合部３５が設けられる。【選択図】        図１
2010227265.tif 000002
【特許請求の範囲】
【請求項１】
壁に取り付けられる手洗いボウルと、該手洗いボウルの下方の壁に取り付けられるバックボードと、前記バックボードの前側に配設されてバックボードとの間に配管収納用空所を形成する配管カバーを備え、配管カバーは前面部と前面部の両側から後方に突出する側面部を備え、バックボードの両側縁部に前方に開口して前記配管カバーの両側面部の後縁部の夫々が嵌め込まれる凹溝部が形成され、手洗いボウルに下方に開口して前記配管カバーの上端部を嵌め込むための嵌込凹所が形成され、配管カバーにバックボードの前面と着脱自在に接合する接合部が設けられることを特徴とする手洗い器。
【請求項２】
前記配管カバーの両側面部の後縁部が対応する凹溝部に弾性体を介して嵌め込まれることを特徴とする請求項１に記載の手洗い器。
【発明の詳細な説明】
【技術分野】
【０００１】
本発明は配管カバーを備えた手洗い器に関する。
【背景技術】
【０００２】
従来の手洗い器には、図８（ａ）に示すように手洗いボウル３に接続される配管を手洗いボウル３の下方に設けたキャビネット４１で覆うキャビネットタイプの手洗い器１と、図８（ｂ）に示すように手洗いボウル３に接続される配管４０を覆わないオープンタイプの手洗い器１とがある。前者は見栄えは良いがキャビネット４１を有するため高価になりやすい。また、後者は安価だが配管４０がむき出しであるため見栄えが良くない。
【０００３】
また、別のタイプの手洗い器として、例えば特許文献１に示すように、手洗いボウルの下方の壁に取り付けられるバックボードと、バックボードの前側を覆う位置に配設される配管カバーを備えた手洗い器が知られており、バックボードと配管カバーの間に形成された配管収納用空所に配管を収納している。
【先行技術文献】
【特許文献】
【０００４】
【特許文献１】特開２００３−１３５２９５号公報
【発明の概要】
【発明が解決しようとする課題】
【０００５】
ところで、特許文献１に示す配管カバーは、配管カバーで覆われた配管の保守・点検作業を行えるように、一側面部の後縁部が蝶番のような回動手段によりバックボードに回動自在に装着されている。
【０００６】
しかし、配管の保守・点検作業の際には配管カバーをバックボードに取り付けたまま行わなければならず、この際、配管カバーが作業の邪魔になる。無論、前記蝶番のような回動手段を配管カバーやバックボードから取り外せば、配管カバーをバックボードから取り外すことは可能であるが、この取り外しの作業には手間がかかる。また、上記のように配管カバーを蝶番のような回動手段を用いてバックボードに取り付ける際にも手間がかかる。
【０００７】
本発明は上記従来の事情に鑑みてなされたものであって、配管カバーを取り付け・取り外しを容易に行うことができ、配管の保守・点検作業を容易に行うことができる手洗い器を提供することを課題とする。
【課題を解決するための手段】
【０００８】
上記課題を解決するために本発明の手洗い器は以下の構成を有する。壁２に取り付けられる手洗いボウル３と、該手洗いボウル３の下方の壁２に取り付けられるバックボード４と、前記バックボード４の前側に配設されてバックボード４との間に配管収納用空所２６を形成する配管カバー５を備える。配管カバー５は前面部２７と前面部２７の両側から後方に突出する側面部２８を備える。バックボード４の両側縁部に前方に開口して前記配管カバー５の両側面部２８の後縁部２９の夫々が嵌め込まれる凹溝部１６が形成される。手洗いボウル３に下方に開口して前記配管カバー５の上端部を嵌め込むための嵌込凹所１２が形成される。配管カバー５にバックボード４の前面と着脱自在に接合する接合部３５が設けられる。
【０００９】
また、前記配管カバー５の両側面部２８の後縁部２９が対応する凹溝部１６に弾性体２４を介して嵌め込まれることが好ましい。
【発明の効果】
【００１０】
本発明にあっては、配管カバーの両後縁部をバックボードの対応する凹溝部に嵌め込むと共に配管カバーの上端部を嵌込凹所に嵌め込み、且つ配管カバーの接合部をバックボードの前面に着脱自在に接合することで、配管カバーをバックボードに容易に着脱自在に取り付けることができる。また、配管カバーは嵌め込みと接合部による接合によりバックボードに取り付けられるので、配管カバーの取り付け・取り外しを容易に行うことができる。
【００１１】
また、配管カバーの両後縁部を対応する凹溝部に弾性体を介して嵌め込むことで、配管カバーの両後縁部が凹溝部の内面と直接接触して振動等によって音が発生することを防止できる。
【図面の簡単な説明】
【００１２】
【図１】本発明の実施形態の一例の手洗い器を壁に沿って設置した状態を示す斜視図である。
【図２】同上のバックボードの斜視図である。
【図３】同上の要部拡大斜視図である。
【図４】同上の手洗いボウルと配管カバーの係合部分を示す断面図である。
【図５】同上の配管カバーをバックボードに取り付ける直前の状態を示す要部斜視図である。
【図６】同上の配管カバーの着脱作業を説明するために用いた斜視図であり、（ａ）は配管カバーの両後縁部の上端部を凹溝部に差し込んだ状態を示し、（ｂ）は配管カバーの上縁部を洗面ボウルの嵌込凹所に嵌め込んだ状態を示す。
【図７】同上の配管カバーをバックボードに取り付けた状態における要部断面図である。
【図８】従来の手洗い器を示し、（ａ）はキャビネットタイプの手洗い器の斜視図であり、（ｂ）はオープンタイプの手洗い器の斜視図である。
【発明を実施するための形態】
【００１３】
以下、添付図面に基づいて本発明の実施形態について説明する。
【００１４】
本実施形態の手洗い器１は、図１に示すようにトイレ室等の部屋の壁２に沿って設置される。手洗い器１は、壁２の所定の高さ位置に取り付けられる手洗いボウル３と、該手洗いボウル３の下方の壁２に取り付けられるバックボード４と、バックボード４の前側に配設される着脱自在の配管カバー５とで構成されている。
【００１５】
手洗いボウル３は合成樹脂等で形成され、その下端部には横長のボウル部６が形成されている。
【００１６】
手洗いボウル３の後面部８はボウル部６の後壁部９とこれを上方に延出してなる立上壁部１０とで構成され、正面視矩形板状に形成されている。後面部８が壁２に固着具等を用いて取り付けられることで手洗いボウル３は壁２に固定される。
【００１７】
立上壁部１０の前面にはボウル部６に手洗い用の水を供給するための給水部１１が設けられている。ボウル部６の前壁部は上側程前方に位置するよう傾斜している。
【００１８】
図４に示すようにボウル部６の下面には配管カバー５の上端部を着脱自在に嵌め込むための下方に開口する嵌込凹所１２が形成されている。
【００１９】
嵌込凹所１２はボウル部６の底部１４の周縁部から下方に向けて一体に突出した縁片部１３で構成されている。縁片部１３は底部１４の両側及び前側の縁部に亘って形成され、その外面はボウル部６の周壁部の外面と滑らかに連続している。
【００２０】
ボウル部６の底部１４には下方に突出する排水筒部１５が一体に形成されている。排水筒部１５には図示しない配管が接続される。ボウル部６内に供給された水は排水筒部１５及び前記配管を介して排出される。
【００２１】
図６（ａ）等に示すバックボード４は固着具等を用いて壁２に取り付けられる。バックボード４の左右幅は手洗いボウル３の左右幅と略同じ寸法となっている。バックボード４の両側縁部には配管カバー５の両側面部２８の後縁部２９の夫々を嵌め込むための前方に開口する凹溝部１６が形成されている。
【００２２】
本実施形態のバックボード４は、矩形板状で壁２に取り付けられるボード本体１８と、ボード本体１８の両側縁部に取り付けられる取付具１９とで構成されている。
【００２３】
ボード本体１８は上下に長く、壁２に取り付けられた状態で床面から手洗いボウル３までの範囲を覆う。
【００２４】
図２や図３に示すように、各取付具１９は上下方向に長く、水平断面が前方に開口するコ字状をしたコ字状片部２０と、コ字状片部２０のボード本体１８側の側片部２１の前縁からボード本体１８側の側方に向けて一体に突出した沿片部２２とで構成されている。
【００２５】
コ字状片部２０及び沿片部２２はボード本体１８の上下全長に亘り、沿片部２２の背面がボード本体１８の側縁部の前面に当接すると共に、コ字状片部２０の側片部２１がボード本体１８の側端面に当接した状態で、接着剤や固着具等を用いてボード本体１８に取り付けられる。ボード本体１８の上下全長に亘って設けられた各取付具１９のコ字状片部２０により前記凹溝部１６が構成されている。
【００２６】
各取付具１９のコ字状片部２０の側片部２１によって構成される、各凹溝部１６のボード本体１８側の内側面には、上下に亘ってスポンジ等の弾性体２４が貼着されている。
【００２７】
図５や図７に示すように各取付具１９の下部の沿片部２２の前面には面ファスナー２５が接着剤を用いて取り付けられている。
【００２８】
配管カバー５は後方のバックボード４との間に前記排水筒部１５に接続される配管等を収納するための配管収納用空所２６を形成する。配管カバー５はハイインパクトポリスチレン（ＨＩＰＳ）のような樹脂材料で形成される。
【００２９】
配管カバー５は水平断面が後方に開口する略Ｕ字状に形成され、前面部２７と、前面部２７の両側縁から後方に向けて一体に突出する側面部２８とで構成されている。
【００３０】
配管カバー５の両側面部２８の後縁部２９の夫々が前記凹溝部１６に着脱自在に嵌め込まれる側嵌込部３０を構成する。
【００３１】
図４に示すように配管カバー５の上縁部３３は下方よりも一段内方に位置し、これにより配管カバー５の外面の上縁部には上方及び外方に開口する段部３１が形成されている。さらに配管カバー５の最上縁には内方に突出する上縁片３２が一体に形成され、該上縁片３２と、前記配管カバー５の上縁部３３とで前記手洗いボウル３の嵌込凹所１２に嵌め込まれる上嵌込部３４を構成している。
【００３２】
図５や図７に示すように、配管カバー５の両側面部２８の後部内面の下部には、バックボード４の前面と着脱自在に接合する接合部３５が設けられている。各接合部３５はポリスチレンのような発泡樹脂からなり、配管カバー５とは別体のブロック状の部材であって、接着剤により側面部２８の内面に取り付けられる。
【００３３】
各接合部３５はその背面が対応する取付具１９の下部の沿片部２２の前面に対向する位置に配置されるよう側面部２８の内面から突出している。各接合部３５の背面には前記面ファスナー２５に対向する面ファスナー３６が接着剤により取り付けられている。面ファスナー３６は面ファスナー２５と対をなし、面ファスナー２５に対して前方から着脱自在に接合される。
【００３４】
上記手洗い器１を設置するには、まず、手洗いボウル３及びバックボード４の夫々を壁２に取り付け、この後、図６（ａ）に示すように配管カバー５を下部が上部よりも前方に位置するように傾けて、両後縁部２９の上端部をバックボード４の対応する凹溝部１６の上部に差し込む。
【００３５】
次いで、図６（ｂ）に示すように、配管カバー５の段部３１に手洗いボウル３の縁片部１３を位置させて、該配管カバー５の上嵌込部３４を手洗いボウル３の嵌込凹所１２に下方から嵌め込みつつ、配管カバー５の下部を前方に押し込んで、両後縁部２９の全体を弾性体２４を介して対応する凹溝部１６に嵌め込むと共に、配管カバー５に設けられた両接合部３５を面ファスナー２５、３６を介してバックボード４の前面に接合し、これにより配管カバー５がバックボード４に取り付けられた状態となる。
【００３６】
上記バックボード４に取り付けられた配管カバー５は、図４に示すように上嵌込部３４が手洗いボウル３の嵌込凹所１２に嵌め込まれて上方及び水平方向の移動が規制される。また、この上嵌込部３４のうち、図４に示す前面部２７の上縁に形成された上縁片３２は、手洗いボウル３の前側に形成された縁片部１３とこの後方の排水筒部１５との間に嵌め込まれ、前後両方向の移動が規制される。また、図７のように、両側面部２８の後縁部２９がバックボード４の両凹溝部１６に嵌め込まれて左右方向の移動が規制される。また、各接合部３５が面ファスナー２５、３３を介してバックボード４の前面に接合されて垂直方向及び前後方向の移動が規制される。
【００３７】
また、上記バックボード４に取り付けられた配管カバー５は上嵌込部３４が縁片部１３の内側に嵌め込まれて、前面部２７及び両側面部２８の夫々の外面が手洗いボウル３の縁片部１３の外面と略面一となり、一体感のある外観となる。
【００３８】
本実施形態では、配管カバー５が嵌め込みと面ファスナー２５、３３を用いた着脱自在の接合とでバックボード４に取り付けられる。このため、配管カバー５は容易にバックボード４に取り付けることができる。
【００３９】
また、配管カバー５の両後縁部２９を対応する凹溝部１６に弾性体２４を介して嵌め込むことで、配管カバー５の両後縁部２９が凹溝部１６の内面と直接接触して音が発生することを防止できる。また、取付具１９は、ボード本体１８の上下全長に亘って設けるようにしたが、例えばボード本体１８の上部と中央部と下部のように、分割して設けるようにしてもよい。
【００４０】
配管収納用空所２６に収納された配管の保守・点検作業は、配管カバー５をバックボード４から取り外した状態で行う。
【００４１】
配管カバー５をバックボード４から取り外すには、上記取付時とは逆の作業をすればよい。すなわち、まず図６（ｂ）のように配管カバー５の下部を手前に引いて各接合部３５をバックボード４の前面から引き剥がす。この後、図６（ａ）のように傾けた配管カバー５を下方に移動して、配管カバー５の上縁部を手洗いボウル３の嵌込凹所１２から下方に引き抜きつつ、配管カバー５を手前に引いて側面部２８の後縁部２９を各凹溝部１６から前方に引き出す。
【００４２】
このように配管カバー５はバックボード４から取り外すことができるので、配管の保守・点検作業を行う際にバックボード４を作業の邪魔にならない位置に配置できる。また、配管カバー５は嵌め込みと面ファスナー２５、３６を用いた着脱自在の接合によりバックボード４に取り付けられるものであるので、配管カバー５をバックボード４から取り外す作業も容易になる。
【００４３】
なお、本実施形態では、接合部３５を配管カバー５と別体としたが、接合部３５は配管カバー５と一体に形成されるものであってもよい。
【００４４】
また、各凹溝部１６のボード本体１８側の内側面に弾性体２４を貼着したが、凹溝部１６のその他の内面にも弾性体２４が貼着されるようにしてもよい。また、弾性体２４はバックボード４に取り付けられるものとしたが、配管カバー５に取り付けられるものであってもよく、すなわち、配管カバー５の側面部２８の後縁部２９が弾性体２４を介して凹溝部１６に嵌め込まれるものであればよい。さらに、配管カバー５の側面部２８の後縁部２９は弾性体２４を介さずに直接凹溝部１６に嵌め込まれるものであってもよい。
【符号の説明】
【００４５】
１  手洗い器
２  壁
３  手洗いボウル
４  バックボード
１２  嵌込凹所
１６  凹溝部
２４  弾性体
２６  配管収納用空所
２７  前面部
２８  側面部
３５  接合部
【図１】
2010227265.tif 000003
【図２】
2010227265.tif 000004
【図３】
2010227265.tif 000005
【図４】
2010227265.tif 000006
【図５】
2010227265.tif 000007
【図６】
2010227265.tif 000008
【図７】
2010227265.tif 000009
【図８】
2010227265.tif 000010